【手続補正書】
【提出日】平成19年6月20日(2007.6.20)
【手続補正１】
【補正対象書類名】特許請求の範囲
【補正対象項目名】全文
【補正方法】変更
【補正の内容】
【特許請求の範囲】
【請求項１】
撮像手段と、
表示手段と、
前記表示手段が表示する画面を複数の領域に分割し、これら複数の領域の一つに前記撮像手段によって逐次撮像される被写体像をスルー表示させるよう制御する第１の表示制御手段と、
この第１の表示制御手段によるスルー表示状態のときに、取り込みの指示を検出する第１の検出手段と、
この第１の検出手段によって取り込み指示を検出すると、前記スルー表示状態の領域に対応する被写体像を複数取り込むよう前記撮像手段を制御する撮像制御手段と、
この撮像制御手段によって取り込まれた複数の被写体像を記憶する第１の記憶手段と、
この第１の記憶手段に複数の被写体像が記憶されると、前記複数の領域における他の領域について、前記第１の表示制御手段による表示、前記第１の検出手段による検出、前記撮像制御手段による撮像制御、及び、前記第１の記憶手段による記憶を繰り返すよう制御する制御手段と、
前記第１の表示制御手段によって分割された複数の領域に、これらの領域の夫々に対応して前記第１の記憶手段によって記憶された複数の被写体像の一つを表示させるよう制御する第２の表示制御手段と、
この第２の表示制御手段によって前記複数の領域を合成した画像を得る画像合成手段と、
この画像合成手段によって合成された画像を記憶する第２の記憶手段と、
を備えたことを特徴とする撮像装置。
【請求項２】
前記第１の記憶手段に記憶されている複数の被写体像から特定の被写体像の選択を検出する第２の検出手段を更に備え、
前記第２の表示制御手段は、この第２の検出手段により選択検出された特定の被写体像を表示させるよう制御することを特徴とする請求項１に記載の撮像装置。
【請求項３】
前記第２の表示制御手段は、前記第１の記憶手段によって記憶された複数の被写体像を一つずつスライドさせながら表示するよう制御するとともに、
前記第２の検出手段は、これらスライド表示される複数の被写体像のうち、前記特定の被写体像が表示されたタイミングでの選択を検出することを特徴とする請求項２に記載の撮像装置。
【請求項４】
前記制御手段による制御の回数を設定する第１の設定手段を更に備えたことを特徴とする請求項１乃至３の何れか記載の撮像装置。
【請求項５】
前記第１の設定手段によって設定される回数が前記第１の表示制御手段によって分割される領域の数よりも大きい場合、前記第１の表示制御手段は、前記設定手段によって設定された回数に応じて領域をスクロール表示させて、この領域に逐次撮像される被写体像をスルー表示させるよう制御することを特徴とする請求項４記載の撮像装置。
【請求項６】
表示部が有する画面を複数の領域に分割し、これら複数の領域の一つに撮像部によって逐次撮像される被写体像をスルー表示させるよう制御する第１の表示制御ステップと、
この第１の表示制御ステップによるスルー表示状態のときに、取り込みの指示を検出する検出ステップと、
この検出ステップにて取り込み指示を検出すると、前記スルー表示状態の領域に対応する被写体像を複数取り込むよう前記撮像部を制御する撮像制御ステップと、
この撮像制御ステップにて取り込まれた複数の被写体像を第１のメモリに記憶させる第１の記憶ステップと、
この第１の記憶ステップにて複数の被写体像が記憶されると、前記複数の領域における他の領域について、前記第１の表示制御ステップによる表示、前記検出ステップによる検出、前記撮像制御ステップによる撮像制御、及び、前記第１の記憶ステップによる記憶を繰り返すよう制御する制御ステップと、
前記第１の表示制御ステップにて分割された複数の領域に、これらの領域の夫々に対応して前記第１のメモリに記憶された複数の被写体像の一つを表示させるよう制御する第２の表示制御ステップと、
この第２の表示制御ステップにて前記複数の領域を合成した画像を得る画像合成ステップと、
この画像合成ステップにて合成された画像を第２のメモリに記憶させる第２の記憶ステップと、
を含むことを特徴とする画像合成方法。
【請求項７】
表示部と撮像部とを有する撮像装置が具備するコンピュータを、
前記表示部が有する画面を複数の領域に分割し、これら複数の領域の一つに前記撮像部によって逐次撮像される被写体像をスルー表示させるよう制御する第１の表示制御手段、
この第１の表示制御手段によるスルー表示状態のときに、取り込みの指示を検出する検出手段、
この検出手段によって取り込み指示を検出すると、前記スルー表示状態の領域に対応する被写体像を複数取り込むよう前記撮像部を制御する撮像制御手段、
この撮像制御手段によって取り込まれた複数の被写体像を第１のメモリに記憶させる第１の記憶手段、
この第１の記憶手段によって複数の被写体像が記憶されると、前記複数の領域における他の領域について、前記第１の表示制御手段による表示、前記検出手段による検出、前記撮像制御手段による撮像制御、及び、前記第１の記憶手段による記憶を繰り返すよう制御する制御手段、
前記第１の表示制御手段によって分割された複数の領域に、これらの領域の夫々に対応して前記第１のメモリに記憶された複数の被写体像の一つを表示させるよう制御する第２の表示制御手段、
この第２の表示制御手段によって前記複数の領域を合成した画像を得る画像合成手段、
この画像合成手段によって合成された画像を第２のメモリに記憶させる第２の記憶手段、
として機能させることを特徴とする画像合成プログラム。
【手続補正２】
【補正対象書類名】明細書
【補正対象項目名】発明の名称
【補正方法】変更
【補正の内容】
【発明の名称】撮像装置、画像合成方法、及び、画像合成プログラム
【手続補正３】
【補正対象書類名】明細書
【補正対象項目名】０００１
【補正方法】変更
【補正の内容】
【０００１】
本発明は、被写体の画像を合成して記録する撮像装置、画像合成方法、及び、画像合成プログラムに関する。
【手続補正４】
【補正対象書類名】明細書
【補正対象項目名】０００６
【補正方法】変更
【補正の内容】
【０００６】
本発明は、上記課題を解決するためになされたものであり、最適な被写体画像を合成して記録することができる、撮像装置、画像合成方法、及び、画像合成プログラムの提供を目的とする。
【手続補正５】
【補正対象書類名】明細書
【補正対象項目名】０００７
【補正方法】変更
【補正の内容】
【０００７】
上記課題を解決するために、請求項１に記載の発明は、撮像手段と、表示手段と、前記表示手段が表示する画面を複数の領域に分割し、これら複数の領域の一つに前記撮像手段によって逐次撮像される被写体像をスルー表示させるよう制御する第１の表示制御手段と、この第１の表示制御手段によるスルー表示状態のときに、取り込みの指示を検出する第１の検出手段と、この第１の検出手段によって取り込み指示を検出すると、前記スルー表示状態の領域に対応する被写体像を複数取り込むよう前記撮像手段を制御する撮像制御手段と、この撮像制御手段によって取り込まれた複数の被写体像を記憶する第１の記憶手段と、この第１の記憶手段に複数の被写体像が記憶されると、前記複数の領域における他の領域について、前記第１の表示制御手段による表示、前記第１の検出手段による検出、前記撮像制御手段による撮像制御、及び、前記第１の記憶手段による記憶を繰り返すよう制御する制御手段と、前記第１の表示制御手段によって分割された複数の領域に、これらの領域の夫々に対応して前記第１の記憶手段によって記憶された複数の被写体像の一つを表示させるよう制御する第２の表示制御手段と、この第２の表示制御手段によって前記複数の領域を合成した画像を得る画像合成手段と、この画像合成手段によって合成された画像を記憶する第２の記憶手段と、を備えたことを特徴とする。
【手続補正６】
【補正対象書類名】明細書
【補正対象項目名】０００８
【補正方法】変更
【補正の内容】
【０００８】
また、請求項２に記載の発明は、上記請求項１記載の発明において、前記第１の記憶手段に記憶されている複数の被写体像から特定の被写体像の選択を検出する第２の検出手段を更に備え、前記第２の表示制御手段は、この第２の検出手段により選択検出された特定の被写体像を表示させるよう制御することを特徴とする。
【手続補正７】
【補正対象書類名】明細書
【補正対象項目名】０００９
【補正方法】変更
【補正の内容】
【０００９】
また、請求項３に記載の発明は、上記請求項２記載の発明において、前記第２の表示制御手段は、前記第１の記憶手段によって記憶された複数の被写体像を一つずつスライドさせながら表示するよう制御するとともに、前記第２の検出手段は、これらスライド表示される複数の被写体像のうち、前記特定の被写体像が表示されたタイミングでの選択を検出することを特徴とする。
【手続補正８】
【補正対象書類名】明細書
【補正対象項目名】００１０
【補正方法】変更
【補正の内容】
【００１０】
また、請求項４に記載の発明は、上記請求項１乃至３の何れか記載の発明において、前記制御手段による制御の回数を設定する第１の設定手段を更に備えたことを特徴とする。
【手続補正９】
【補正対象書類名】明細書
【補正対象項目名】００１１
【補正方法】変更
【補正の内容】
【００１１】
また、請求項５に記載の発明は、上記請求項４記載の発明において、前記第１の設定手段によって設定される回数が前記第１の表示制御手段によって分割される領域の数よりも大きい場合、前記第１の表示制御手段は、前記設定手段によって設定された回数に応じて領域をスクロール表示させて、この領域に逐次撮像される被写体像をスルー表示させるよう制御することを特徴とする。
【手続補正１０】
【補正対象書類名】明細書
【補正対象項目名】００１２
【補正方法】変更
【補正の内容】
【００１２】
上記課題を解決するために、請求項６に記載の発明は、表示部が有する画面を複数の領域に分割し、これら複数の領域の一つに撮像部によって逐次撮像される被写体像をスルー表示させるよう制御する第１の表示制御ステップと、この第１の表示制御ステップによるスルー表示状態のときに、取り込みの指示を検出する検出ステップと、この検出ステップにて取り込み指示を検出すると、前記スルー表示状態の領域に対応する被写体像を複数取り込むよう前記撮像部を制御する撮像制御ステップと、この撮像制御ステップにて取り込まれた複数の被写体像を第１のメモリに記憶させる第１の記憶ステップと、この第１の記憶ステップにて複数の被写体像が記憶されると、前記複数の領域における他の領域について、前記第１の表示制御ステップによる表示、前記検出ステップによる検出、前記撮像制御ステップによる撮像制御、及び、前記第１の記憶ステップによる記憶を繰り返すよう制御する制御ステップと、前記第１の表示制御ステップにて分割された複数の領域に、これらの領域の夫々に対応して前記第１のメモリに記憶された複数の被写体像の一つを表示させるよう制御する第２の表示制御ステップと、この第２の表示制御ステップにて前記複数の領域を合成した画像を得る画像合成ステップと、この画像合成ステップにて合成された画像を第２のメモリに記憶させる第２の記憶ステップと、を含むことを特徴とする。
【手続補正１１】
【補正対象書類名】明細書
【補正対象項目名】００１３
【補正方法】変更
【補正の内容】
【００１３】
上記課題を解決するために、請求項７に記載の発明は、表示部と撮像部とを有する撮像装置が具備するコンピュータを、前記表示部が有する画面を複数の領域に分割し、これら複数の領域の一つに前記撮像部によって逐次撮像される被写体像をスルー表示させるよう制御する第１の表示制御手段、この第１の表示制御手段によるスルー表示状態のときに、取り込みの指示を検出する検出手段、この検出手段によって取り込み指示を検出すると、前記スルー表示状態の領域に対応する被写体像を複数取り込むよう前記撮像部を制御する撮像制御手段、この撮像制御手段によって取り込まれた複数の被写体像を第１のメモリに記憶させる第１の記憶手段、この第１の記憶手段によって複数の被写体像が記憶されると、前記複数の領域における他の領域について、前記第１の表示制御手段による表示、前記検出手段による検出、前記撮像制御手段による撮像制御、及び、前記第１の記憶手段による記憶を繰り返すよう制御する制御手段、前記第１の表示制御手段によって分割された複数の領域に、これらの領域の夫々に対応して前記第１のメモリに記憶された複数の被写体像の一つを表示させるよう制御する第２の表示制御手段、この第２の表示制御手段によって前記複数の領域を合成した画像を得る画像合成手段、この画像合成手段によって合成された画像を第２のメモリに記憶させる第２の記憶手段、として機能させることを特徴とする。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】